(57)【要約】【課題】空気改質装置への空気の供給が十分に行われて効率的に高酸素含有空気を発生させることができる空気改質装置を提供する。【解決手段】高酸素含有空気発生装置３によって、筐体２の内部に外気を取り入れ、高酸素含有空気に改質させて外部に排出させる。筐体２の内部に取り入れた外気をマイナスイオン発生装置４によってマイナスイオン含有空気に改質させる。マイナスイオン含有空気を送風口７を介して外部に排出させる。マイナスイオン含有空気を送風装置５によって外部に排出させる際に筐体２内に発生する負圧を利用して、外気導入口８から外部の空気を筐体２内に取り入れる。この取り入れた空気を高酸素含有空気発生部３ａ内を通過させ、高酸素含有空気発生部３ａ内で高酸素含有空気に改質させる。該高酸素含有空気を吸排気装置３ｂにより吸引するとともに外部に排気する。高酸素含有空気発生部３ａ内を通過した空気を送風口７を介して外部に排出する。【選択図】　　　　　図１
2004065598.tif 000002
【特許請求の範囲】
【請求項１】
筐体の内部に外気を取り入れ、大気より高濃度の酸素を含有する高酸素含有空気を発生させて該空気を前記筐体の外部に排出させる高酸素含有空気発生装置と、
前記筐体の内部に取り入れた外気にマイナスイオンを添加し、マイナスイオン含有空気を発生させるマイナスイオン発生装置と、
このマイナスイオン発生装置から発生したマイナスイオン含有空気を、前記筐体に設けた送風口を介して前記筐体の外部に排出させる送風装置とを備え、
前記高酸素含有空気発生装置，マイナスイオン発生装置および送風装置を前記筐体の内部に配設した空気改質装置において、
前記高酸素含有空気発生装置は、高酸素含有空気発生部と吸排気装置とを備え、
前記マイナスイオン含有空気を前記送風装置によって前記筐体の外部に排出させる際に前記筐体内に発生する負圧を利用して、前記筐体に設けた外気導入口から外部の空気を該筐体内に取り入れるとともに、この取り入れた空気を前記高酸素含有空気発生部内を通過させ、
この通過中の空気の一部を前記高酸素含有空気発生部内で高酸素含有空気に改質させ、該高酸素含有空気を前記吸排気装置により吸引するとともに前記筐体の外部に排気する一方、
前記高酸素含有空気発生部内を通過した空気を、前記送風口を介して前記送風装置によって前記筐体の外部に排出するようにし、前記高酸素含有空気発生部から前記送風口までの空気の流れる経路上に、前記マイナスイオン発生装置をその内部に空気が通過するように配設したことを特徴とする空気改質装置。
【請求項２】
請求項１に記載の空気改質装置において、
前記高酸素含有空気発生部から前記送風口までの空気の流れる経路上に前記吸排気装置を配設したことを特徴とする空気改質装置。
【請求項３】
請求項１または請求項２に記載の空気改質装置において、
前記吸排気装置に設けた排気口を介して前記高酸素含有空気を排気する一方、この排気した高酸素含有空気に含有する水分を除去する水分除去装置を前記排気口に接続したことを特徴とする空気改質装置。
【発明の詳細な説明】
【０００１】
【発明の属する技術分野】
本発明は、高酸素含有空気およびマイナスイオン含有空気を発生させる空気改質装置に関するものである。
【０００２】
【従来の技術】
従来のこの種の空気改質装置としては、室内の空気を、空気清浄フィルタを介して循環ファンによって前記空気改質装置の筐体内に吸込口を介して吸い込むとともに、この吸い込んだ空気を吹出口から室内に吹き出すようにする一方、前記筐体内に吸い込まれた空気の酸素濃度を高酸素含有空気発生部によって高めて高酸素含有空気を生成し、この高酸素含有空気を、酸素供給口を介して前記吹出口に向けて放出し、さらに、該吹出口から室内に吹き出される空気に、マイナスイオン発生装置によってマイナスイオンを添加するようにした空気改質装置が提案されている（特開平１０−２３４８３６号公報）。この従来の空気改質装置は、前記循環ファンの吸い込み部分が吸込口の近傍に配設されているとともに前記循環ファンの吹き出し部分が吹出口の近傍に配設されている一方、前記循環ファンの吸い込み部分から吹き出し部分までの空気の流れる通路は循環ファン内に形成されている。
【０００３】
【発明が解決しようとする課題】
しかしながら、前記従来の空気改質装置は、前記循環ファンによって吸い込まれ筐体内に滞留している空気を高酸素含有空気発生部によってその酸素濃度を高めるようにしているので、該高酸素含有空気発生部への空気の供給が不十分になる虞があった。
【０００４】
本発明は、かかる事情に鑑みてなされたもので、空気改質装置の高酸素含有空気発生部への空気の供給が十分に行われて効率的に高酸素含有空気を発生させることができるとともに、その供給を単純かつ安価な構造で達成することができる空気改質装置を提供しようとするものである。
【０００５】
【課題を解決するための手段】
上記目的を達成するため、本発明のうち請求項１の発明は、筐体の内部に外気を取り入れ、大気より高濃度の酸素を含有する高酸素含有空気を発生させて該空気を前記筐体の外部に排出させる高酸素含有空気発生装置と、前記筐体の内部に取り入れた外気にマイナスイオンを添加し、マイナスイオン含有空気を発生させるマイナスイオン発生装置と、このマイナスイオン発生装置から発生したマイナスイオン含有空気を、前記筐体に設けた送風口を介して前記筐体の外部に排出させる送風装置とを備え、前記高酸素含有空気発生装置，マイナスイオン発生装置および送風装置を前記筐体の内部に配設した空気改質装置において、前記高酸素含有空気発生装置は、高酸素含有空気発生部と吸排気装置とを備え、前記マイナスイオン含有空気を前記送風装置によって前記筐体の外部に排出させる際に前記筐体内に発生する負圧を利用して、前記筐体に設けた外気導入口から外部の空気を該筐体内に取り入れるとともに、この取り入れた空気を前記高酸素含有空気発生部内を通過させ、この通過中の空気の一部を前記高酸素含有空気発生部内で高酸素含有空気に改質させ、該高酸素含有空気を前記吸排気装置により吸引するとともに前記筐体の外部に排気する一方、前記高酸素含有空気発生部内を通過した空気を、前記送風口を介して前記送風装置によって前記筐体の外部に排出するようにし、前記高酸素含有空気発生部から前記送風口までの空気の流れる経路上に、前記マイナスイオン発生装置をその内部に空気が通過するように配設したことを特徴とする。
【０００６】
また、請求項２の発明は、請求項１に記載の空気改質装置において、前記高酸素含有空気発生部から前記送風口までの空気の流れる経路上に前記吸排気装置を配設したことを特徴とする。
【０００７】
また、請求項３の発明は、請求項１または請求項２に記載の空気改質装置において、前記吸排気装置に設けた排気口を介して前記高酸素含有空気を排気する一方、この排気した高酸素含有空気に含有する水分を除去する水分除去装置を前記排気口に接続したことを特徴とする。
【０００８】
【発明の実施の形態】
（第１の実施の形態）
【０００９】
以下、添付図面に示した一実施例に基づいて本発明に係る空気改質装置の実施の形態を説明する。
【００１０】
図１および図２は本発明における第１の実施の形態を示すものであり、図１は第１の実施の形態に係る空気改質装置１を正面から見た状態において内部構造を示す断面図であり、図２は前記空気改質装置１の構成を示すブロック線図である。
【００１１】
図１において符号１は本実施の形態に係る空気改質装置であり、符号２は合成樹脂からなる筐体である。また、図１において符号３は、大気より高濃度の酸素を含有する高酸素含有空気を発生させて該空気を筐体２の外部に排出させる高酸素含有空気発生装置であり、符号４は、筐体２の内部に取り入れた外気にマイナスイオンを添加し、マイナスイオン含有空気を発生させるマイナスイオン発生装置であり、符号５は、マイナスイオン発生装置４によって発生したマイナスイオン含有空気を筐体２の外部に向かって送風する送風装置である。前記高酸素含有空気発生装置３は、高酸素含有空気を発生させる高酸素含有空気発生部３ａと、該高酸素含有空気発生部３ａによって発生した高酸素含有空気を吸引するとともにこの吸引した高酸素含有空気を筐体２の外部に排気する吸排気装置３ｂとを備えている。
【００１２】
高酸素含有空気発生部３ａと吸排気装置３ｂとの間は、仕切板６によって仕切られている。前記送風装置５は、筐体２の右側面部に設けられた複数の送風口７…を介して外部に向かって送風するファン５ａと、該ファン５ａを回転する電動モータ５ｂとを備えている。なお、ファン５ａは電動モータ５ｂのモータ軸に固着されている。
【００１３】
また、図１において符号８は筐体２の右側面部に設けられた複数の外気導入口８…であり、その下方に前記送風口７…が設けられている。外気導入口８…と高酸素含有空気発生部３ａとの間には、空気清浄フィルタ９が配設され、該空気清浄フィルタ９は、それぞれ板状に形成された集塵フィルタ９ａと脱臭フィルタ９ｂとを備えている。これらの集塵フィルタ９ａと脱臭フィルタ９ｂは、筐体２に設けられた図示しない整備用開口を介して容易に脱着でき、定期的に掃除や部品交換ができるようになっている。なお、前記整備用開口は、図示しない開閉自在の蓋体で通常閉じるようにしている。前記脱臭フィルタ９ｂと高酸素含有空気発生部３ａとの間には、外気導入口８…および空気清浄フィルタ９を通過した外気が導入される上流側空気室１０が形成されている。なお、図１中の破線矢印は空気の流れる方向を示している。
【００１４】
前記高酸素含有空気発生部３ａの内部には、複数のシリコーン系の無孔性高分子膜からなる平板状の分離膜１１…が、その板面方向が外気導入口８…から流入した空気の流れる方向Ｄに略平行になるよう配設され、各分離膜１１…同士もそれらの板面が互いに略等間隔の空間Ｒ１を介して平行になるよう配設されている。前記各高分子膜は、その膜厚がおよそ０．１ミクロンであって、窒素は透過し難く、かつ、酸素が透過し易い性質を有する。このため、前記各高分子膜を通過した空気は、大気より高濃度の酸素を含有する高酸素含有空気に改質される。なお、前記各高分子膜は無孔性であるので、集塵フィルタ９ａを通過した空気に混入している微細な雑菌（細菌やウイルスなど）の通過を阻止することができる。
【００１５】
前記高酸素含有空気発生部３ａの空気清浄フィルタ９が設けられた側とは反対側には、前記各分離膜１１…間の空間Ｒ１を通過した空気が集合する下流側空気室１２が形成され、該空気室１２には、ここに集合した空気が通過して吸排気装置３ｂの方に向かって流れるための複数の通風口１２ａ…が開口されている。
【００１６】
また、高酸素含有空気発生部３ａでは、各分離膜１１…を通過した高酸素含有空気が各分離膜１１…毎に個別に捕集され、この捕集された高酸素含有空気は捕集管１３に流入するよう構成されている。該捕集管１３は前記仕切板６を貫通して延設され、該捕集管１３の終端には吸排気装置３ｂの吸気側が接続されている。吸排気装置３ｂは、ダイヤフラム式ポンプからなる吸排気部３ｂ１と、該吸排気部３ｂ１を駆動する電動モータ３ｂ２と、吸排気部３ｂ１から吐出された高酸素含有空気を筐体２の外部に排気する排気管３ｃとを備え、吸排気部３ｂ１の排気側に前記排気管３ｃの一端部が接続されている。該排気管３ｃの他端部は筐体２を貫通して筐体２の外部に延設されている。そして、排気管３ｃの前記他端部の排気口３ｃ１から高酸素含有空気が排出されるように構成されている。
【００１７】
さらに、前記マイナスイオン発生装置４は、金属筒４ａと、その筒４ａ内に間隙を介して配設され該金属筒４ａに紫外線を照射する電球４ｂとを備え、この紫外線の照射による光電効果よって、該金属筒４ａの内壁近傍の空気にマイナスイオンが添加されるようになっている。
【００１８】
一方、図１において符号１５は、前記排気管３ｃ内を通過する高酸素含有空気中の酸素濃度を検出するための酸素濃度検出センサで、符号１６は、前記マイナスイオン発生装置４によってマイナスイオンが添加された空気のマイナスイオン濃度を検出するためのマイナスイオン濃度検出センサである。
【００１９】
また、図１において符号２０は表示装置で、電源スイッチ１７がＯＮ操作されたとき点灯し、ＯＦＦ操作されたとき消灯する電源ランプ２０ａと、前記酸素濃度検出センサ１５による検出値が予め設定された設定値を越えたとき点灯し、該設定値以下のとき消灯する酸素濃度表示ランプ２０ｂと、前記マイナスイオン濃度検出センサ１６による検出値が予め設定された設定値を越えたとき点灯し、該設定値以下のとき消灯するマイナスイオン濃度表示ランプ２０ｃとを備える。
【００２０】
また、図１において符号２１は、空気改質装置１の運転時間を任意に設定するためのタイマである。
【００２１】
上述した吸排気装置３ｂの電動モータ３ｂ２，マイナスイオン発生装置４の電球４ｂ，送風装置５の電動モータ５ｂ，酸素濃度検出センサ１５，マイナスイオン濃度検出センサ１６，電源スイッチ１７，各ランプ２０ａ，２０ｂ，２０ｃおよびタイマ２１は、リード線２２を介してコントローラ２３に電気的に接続されている（図２参照）。該コントローラ２３は、空気改質装置１を運転する際の各種制御を行うためのものである。また、コントローラ２３には、家庭用電源に接続するための電気コード２４が、着脱自在の接続プラグ２５およびリード線２２を介して電気的に接続されている。
【００２２】
なお、前記各分離膜１１…間の空間Ｒ１を通過した空気が、通風口１２ａ…を経て送風口７…に向かって流れる経路上に吸排気装置３ｂ，コントローラ２３およびマイナスイオン発生装置４が配設され、さらに、該マイナスイオン発生装置４は、その金属筒４ａの内部を空気が通過し易いよう金属筒４ａの軸線Ｌを前記空気の流れる経路に沿うよう配設している。
【００２３】
次に、上述のように構成した空気改質装置１の作用について説明する。
【００２４】
まず、前記コントローラ２３に接続された電気コード２４のコンセントを家庭用電源に接続した後、電源スイッチ１７をＯＮ操作する。すると、表示装置２０の電源ランプ２０ａが点灯するとともに、上述した吸排気装置３ｂの電動モータ３ｂ２，マイナスイオン発生装置４の電球４ｂおよび送風装置５の電動モータ５ｂに前記家庭用電源から電流が流れる。そして、送風装置５の電動モータ５ｂおよび該電動モータ５ｂのモータ軸に固着されたファン５ａが回転し、筐体２内の空気が送風口７…を介して筐体２の外部に排気される。
【００２５】
この結果、筐体２内の気圧が低下して負圧が発生し、この負圧の作用によって外気導入口８…を介して筐体２内に外気が導入される。筐体２内に導入された空気は、空気清浄フィルタ９の集塵フィルタ９ａを通過して塵埃が除去された後、脱臭フィルタ９ｂを通過して異臭が除去される。
【００２６】
空気清浄フィルタ９の集塵フィルタ９ａおよび脱臭フィルタ９ｂによって清浄化された空気は上流側空気室１０に流入した後、高酸素含有空気発生装置３の高酸素含有空気発生部３ａ内に導入される。高酸素含有空気発生部３ａ内の空間Ｒ１に流入した空気の一部は、各分離膜１１…を通過して各分離膜１１…毎に個別に高酸素含有空気へと改質される。そして、該高酸素含有空気は、捕集管１３によって捕集され、吸排気装置３ｂの吸排気部３ｂ１により吸排気装置３ｂ内に吸引された後、前記吸排気部３ｂ１により排気管３ｃに吐出される。排気管３ｃに吐出された高酸素含有空気は、排気管３ｃの排気口３ｃ１から筐体２の外部に排出される。このとき、排気管３ｃ内を通過する高酸素含有空気中の酸素濃度が酸素濃度検出センサ１５によって常に検出されており、その検出値が設定値（コントローラ２３内に設けられたメモリに予め記憶された値）を越えたときにコントローラ２３によって酸素濃度表示ランプ２０ｂが点灯される。
【００２７】
一方、高酸素含有空気発生部３ａ内の空間Ｒ１に流入した空気の他の一部は、高酸素含有空気に改質されることなく空間Ｒ１を通過して下流側空気室１２に導入された後、筐体２内の前記負圧の作用によって通風口１２ａ…を介して吸排気装置３ｂの方に向かって流れる。このように筐体２内の前記負圧の作用により、各分離膜１１…間の空間Ｒ１には常に空気が流入しているので、各分離膜１１…の表面には常に新しい空気が供給されることになり、各分離膜１１…において高酸素含有空気を効率良く発生させることができる。
【００２８】
また、筐体２内の前記負圧の作用により前記空間Ｒ１を通過する際の空気の流れる方向は各分離膜１１…の面に対して略平行になることに加え、各分離膜１１…に作用する圧力は正圧ではなく負圧が作用するので、各分離膜１１…の面に対して正圧が垂直に作用するときに起こる高分子膜の振動による損傷を回避することができるとともに、正圧によって強制的に酸素だけでなく窒素も多量に透過させられることによる高分子膜の酸素分離機能の低下も回避することができる。
【００２９】
而して、吸排気装置３ｂの方に向かって流れた空気は、吸排気装置３ｂおよびコントローラ２３の外表面に沿って流れ、この空気の流れによって吸排気装置３ｂおよびコントローラ２３が適宜冷却される。
【００３０】
また、吸排気装置３ｂおよびコントローラ２３の外表面に沿って流れた空気の一部は、マイナスイオン発生装置４の金属筒４ａ内を通過する過程で、マイナスイオンを添加された後、送風装置５のファン５ａによって送風口７…を介して筐体２の外部に排出される一方、他の一部の空気は、マイナスイオン発生装置４の金属筒４ａ内を通過することなく送風装置５のファン５ａによって送風口７…を介して筐体２の外部に直接排出され、その過程でマイナスイオン発生装置４の金属筒４ａ内を通過してマイナスイオンを添加された空気と混合される。
【００３１】
このとき、マイナスイオン発生装置４の金属筒４ａ内を通過してマイナスイオンを添加された空気中のマイナスイオン濃度がマイナスイオン濃度検出センサ１６によって常に検出されており、その検出値が設定値（コントローラ２３内に設けられたメモリに予め記憶された値）を越えたときにコントローラ２３によってマイナスイオン濃度表示ランプ２０ｃが点灯される。
【００３２】
空気改質装置１の運転を停止するには、電源スイッチ１７をＯＦＦ操作する。この操作によって空気改質装置１の全ての機能が停止される。
【００３３】
また、空気改質装置１の運転を、時間を設定して所望の時間だけ運転したい場合は、タイマ２１により運転時間を設定する。これによって、その設定された運転時間が経過したか否かが常にコントローラ２３によって監視され、該運転時間が経過した時点で空気改質装置１の運転がコントローラ２３によって停止される。このとき、電源スイッチ１７は自動的にＯＦＦされ、空気改質装置１の運転を再開したい場合は、電源スイッチ１７をＯＮ操作する。
【００３４】
以上述べた本実施の形態における空気改質装置１によれば、マイナスイオン含有空気を送風装置５によって筐体２の外部に排出させる際に筐体２内に発生する負圧を利用して、外気導入口８から外部の空気を取り入れるとともに、この取り入れた空気を高酸素含有空気発生部３ａ内を通過させるようにし、さらに、前記負圧の作用によって生じる空気の流れの経路上にマイナスイオン発生装置４を配設するとともに該経路に沿うようマイナスイオン発生装置４の金属筒４ａの軸線Ｌを位置付け、金属筒４ａ内に空気が通過し易いようにした。このため、送風装置５を有効に活用して高酸素含有空気発生部３ａやマイナスイオン発生装置４に空気を供給することができる。この結果、高酸素含有空気発生部３ａやマイナスイオン発生装置４に空気を供給するために、専用の空気供給装置を個別に設ける必要がないので、空気を供給する構造を単純かつ安価にすることができる。
【００３５】
さらにまた、本実施の形態における空気改質装置１によれば、前記負圧の作用によって生じる空気の流れの経路上に吸排気装置３ｂ，マイナスイオン発生装置４およびコントローラ２３を配設したので、前記空気の流れによってこれら吸排気装置３ｂ等が適宜冷却される。この結果、前記吸排気装置３ｂ等を冷却するための特別な冷却装置を設ける必要がないので、前記冷却を行なうための構造を単純かつ安価にすることができる。
【００３６】
なお、本実施の形態では、吸排気装置３ｂの排気管３ｃから高酸素含有空気を外部に直接排気するようにしたが、これに限らず、図３の（Ａ）に示すように、排気管３ｃの終端部に、水分吸着剤が充填された水分除去装置３０を接続し、排気管３ｃから排気される高酸素含有空気に含有する水分を除去し、低湿化された高酸素含有空気を排気するようにしてもよい。該水分除去装置３０は、上端の開口３１ａから内部の空間Ｒ２に適当な分量の水分吸着剤が充填される容器３１と、該容器３１の下部側面部に略水平方向に突設された出口管３４と、容器３１の上端の開口を開閉自在に閉塞する蓋体３２と、該蓋体３２の上面部に固着された入口管３３とを備える（図３の（Ｂ）参照）。なお、図３の（Ｂ）は、容器３１から蓋体３２を離脱した状態を示す拡大図であって容器３１の一部を破断した状態を示している。
【００３７】
前記入口管３３は、略Ｌ字状に屈曲形成されているとともに略水平方向と略鉛直方向にそれぞれ延びる部分からなり、略鉛直方向に延びる部分の最下端は、蓋体３２内の空間に連通しているとともに該蓋体３２を容器３１に組付けたとき空間Ｒ２と連通する。容器３１内の下部には、網目状の多数の通孔が穿設された底板３１ｂが配設され、該底板３１ｂの下方に空間Ｒ３が形成されている。前記水分吸着剤が空間Ｒ３内に落下しないように底板３１ｂによって支持されるように構成されている。そして、高酸素含有空気を排気する前記排気管３ｃの終端部は、前記水分除去装置３０の入口管３３に着脱自在に嵌合接続される。なお、図３の（Ａ）中の破線矢印は空気の流れる方向を示している。
【００３８】
以上のように構成された水分除去装置３０を排気管３ｃの終端部に接続するようにすれば、容器３１内に充填された水分吸着剤によって水分が除去された低湿な高酸素含有空気が底板３１ｂを通過した後、空間Ｒ３を経て、水分除去装置３０の出口管３４から排気される。
【００３９】
なお、室内の湿度があまり高くなく適度なためこれ以上、高酸素含有空気を低湿化することを希望しない場合は、水分除去装置３０を吸排気装置３ｂの排気管３ｃから離脱させて、低湿化されていない通常の高酸素含有空気を排気管３ｃから外部に直接排気させるようにすればよい。
【００４０】
さらにまた、前記吸排気装置３ｂの排気管３ｃの終端部に水分除去装置３０を接続する代わりに、空気改質装置１を使用する者（以下、「使用者」という。）の頭部に酸素供給装置４０（図４参照）を装着して該酸素供給装置４０を、前記排気管３ｃの終端部に接続するようにしてもよい。該酸素供給装置４０は、使用者の頭部に装着固定するためのヘッドホールド４１と、該ヘッドホールド４１の長手方向中途部に固着された基部４２と、該基部４２に一端部が、図４において矢印Ｇで示す方向に回動自在に軸支されたノズル４３と、該ノズル４３と連通するとともに排気管３ｃの終端部にエアホースＨを介して接続される入口管部４４とを備える。なお、前記ノズル４３の一端部は前記基部４２に対して任意の角度位置で固定できるように構成されている一方、ノズル４３の他端部には、高酸素含有空気を排出するための出口部４３ａが形成されている。なお、図４中の破線矢印は空気の流れる方向を示している。
【００４１】
以上のように構成された酸素供給装置４０の入口管部４４を、吸排気装置３ｂの排気管３ｃの終端部に前記エアホースＨを介して接続するとともに、ノズル４３の出口部４３ａを使用者の鼻や口の近傍に合致するよう位置合わせすれば、使用者の鼻や口の近傍に高酸素含有空気を直接供給することができる。
【００４２】
（第２の実施の形態）
【００４３】
図５は本発明における第２の実施の形態に係る空気改質装置１を示したものであり、該空気改質装置１を斜め前方から見た状態を示した図である。なお、図５において、前記第１の実施の形態で説明したものと同一もしくは同等部材については、同一の符号を付し詳細な説明は省略する。なお、図５中の破線矢印は空気の流れる方向を示している。
【００４４】
本実施の形態では、複数の送風口７…は筐体２の上面に形成されており、高酸素含有空気を排気する排気管３ｃは、筐体２の側面から後方に向かって屈曲形成されている。
【００４５】
（第３の実施の形態）
【００４６】
図６は本発明における第３の実施の形態に係る空気改質装置１を示したものであり、該空気改質装置１を斜め前方から見た状態を示した図である。なお、図６において、前記第１の実施の形態で説明したものと同一もしくは同等部材については、同一の符号を付し詳細な説明は省略する。なお、図６中の破線矢印は空気の流れる方向を示している。
【００４７】
本実施の形態では、複数の送風口７…は筐体２の前面に形成されており、高酸素含有空気を排気する排気管３ｃは筐体２の上面に形成されている。また、本実施の形態では空気改質装置１の電源として家庭用電源を使用する代わりに、電池を使用するよう構成されており、空気改質装置１の上部には電池収納部１８が配設され、開閉蓋１９を介して電池を脱着するように構成されている。なお、前記電池は充電式のものを使用し、充電器を空気改質装置１に内蔵するように構成するか、または内蔵せずに外部の充電器を使用して充電するようにしてもよい。
【００４８】
また、空気改質装置１の背面側には使用者の腰に空気改質装置１を縛り付けるためのホルダベルトＢが取り付けられている。また、前記排気管３ｃの終端部にはエアホースＨの一端部が嵌合接続され、該エアホースＨの他端部は、第１の実施の形態において説明した酸素供給装置４０（図４参照）と同様の酸素供給装置の入口管部（図４の入口管部４４に相当）に接続される。
【００４９】
以上述べた本実施の形態における空気改質装置１によれば、空気改質装置１を使用者の体に固定することができるとともに空気改質装置１内に装着した電池によって空気改質装置１を運転することができるので、空気改質装置１を使用する場所が限定されず使用者が歩行しながら高酸素含有空気を吸引することができる。
【００５０】
【発明の効果】
以上の説明から明らかなように本発明のうち請求項１記載の発明によれば、マイナスイオン含有空気を送風装置によって筐体の外部に排出させる際に筐体内に発生する負圧を利用して、外気導入口から外部の空気を筐体内に取り入れるとともに、この取り入れた空気を高酸素含有空気発生部内を通過させるようにし、さらに、前記負圧の作用によって生じる空気の流れの経路上に、マイナスイオン発生装置をその内部に空気が通過するように配設したので、高酸素含有空気発生部およびマイナスイオン発生装置の各内部には絶えず空気が流入し、常に新しい空気が供給されることになる。このため、高酸素含有空気発生部においては高酸素含有空気を効率良く発生させることができるとともにマイナスイオン発生装置においてはマイナスイオンを効率良く発生させ、かつ、効率良く空気に添加することができる。
また、送風装置を有効に活用して高酸素含有空気発生部やマイナスイオン発生装置に空気を供給することができる結果、高酸素含有空気発生部やマイナスイオン発生装置に空気を供給するために、専用の空気供給装置を個別に設ける必要がないので、空気を供給する構造を単純かつ安価なものにすることができる。
【００５１】
また、請求項２記載の発明によれば、前記負圧の作用によって生じる空気の流れの経路上に吸排気装置を配設したので、前記空気の流れによって吸排気装置が適宜冷却される。この結果、吸排気装置を冷却するための特別な冷却装置を設ける必要がないので、前記冷却を行なうための構造を単純かつ安価にすることができる。
【００５２】
さらにまた、請求項３記載の発明によれば、低湿化された高酸素含有空気を排気することができる。
【図面の簡単な説明】
【図１】本発明の第１の実施の形態に係る空気改質装置１を正面から見た状態において内部構造を示す断面図である。
【図２】前記空気改質装置１の構成を示すブロック線図である。
【図３】前記空気改質装置１に水分除去装置を接続した状態および該水分除去装置を分解した状態を示す拡大図である。
【図４】前記空気改質装置１に接続するための酸素供給装置の外観を示す図である。
【図５】本発明の第２の実施の形態に係る空気改質装置１を斜め前方から見た状態を示す図である。
【図６】本発明の第３の実施の形態に係る空気改質装置１を斜め前方から見た状態を示す図である。
【符号の説明】
１　　　空気改質装置
２　　　筐体
３　　　高酸素含有空気発生装置
３ａ　　高酸素含有空気発生部
３ｂ　　吸排気装置
３ｃ１　排気口
４　　　マイナスイオン発生装置
５　　　送風装置
７　　　送風口
８　　　外気導入口
３０　　水分除去装置
【図１】
2004065598.tif 000003
【図２】
2004065598.tif 000004
【図３】
2004065598.tif 000005
【図４】
2004065598.tif 000006
【図５】
2004065598.tif 000007
【図６】
2004065598.tif 000008